(57)【要約】【課題】  複数の警備端末が同時に長時間通信回線を占有するような事態を避け、センタ装置が警備端末からの情報を的確に受け取ることができ、警備システム全体の業務の安定化が図られる警備システム及び警備システムの回線使用方法を提供することにある。【解決手段】  センタ装置で呼を待ち受けて実行される待受制御があらかじめ予定されていた場合、センタ装置は、呼を受けた時、警備端末と通信を行う通信回線の空き回線数を確認し、空き回線数が所定以上の場合、待受制御を実行した後、警備端末と通信中の通信回線を切断することを特徴とする。【選択図】図１
2006323489.tif 000002
【特許請求の範囲】
【請求項１】
警備対象施設の警備状況をセンタ装置に送信する警備端末からの呼を期に、該センタ装置が該警備端末に対する制御を行う警備システムにおいて、
該センタ装置で該呼を待ち受けて実行される待受制御があらかじめ予定されていた場合、
該センタ装置は、該呼を受けた時、該警備端末と通信を行う通信回線の空き回線数を確認し、該空き回線数が所定以上の場合、該待受制御を実行した後、該警備端末と通信中の通信回線を切断することを特徴とする警備システム。
【請求項２】
前記空き回線数が所定に満たない場合、前記センタ装置が、前記警備端末に対し前記待受制御のための該警備端末側からの再接続の時間を指示した後、該警備端末と通信中の通信回線を切断することを特徴とする請求項１記載の警備システム。
【請求項３】
前記警備端末からの呼が、警戒の開始、警戒の解除、センサの異常検知等の警備業務に起因する場合、前記空き回線数を確認し、前記待受制御を実行することを特徴とする請求項１又は請求項２記載の警備システム。
【請求項４】
警備対象施設の警備状況をセンタ装置に送信する警備端末からの呼を期に、該センタ装置が該警備端末に対する制御を行う警備システムで、該警備端末と該センタ装置との通信を行う警備システムの回線使用方法において、
該センタ装置で該呼を待ち受けて実行される待受制御があらかじめ予定されていた場合、
該センタ装置が該呼を受けた後、
該センタ装置が該警備端末と通信を行う通信回線の空き回線数を確認し、
該空き回線数が所定以上の場合、該センタ装置が該待受制御を実行した後、該警備端末と通信中の通信回線を切断することを特徴とする警備システムの回線使用方法。
【請求項５】
前記空き回線数が所定に満たない場合、
前記センタ装置が、前記警備端末に対し前記待受制御のための該警備端末側からの再接続の時間を指示した後、該警備端末と通信中の通信回線を切断することを特徴とする請求項４記載の警備システムの回線使用方法。
【請求項６】
前記警備端末からの呼が、警戒の開始、警戒の解除、センサの異常検知等の警備業務に起因する場合、
前記空き回線数を確認した後、前記待受制御を実行することを特徴とする請求項４又は請求項５記載の警備システムの回線使用方法。
【発明の詳細な説明】
【技術分野】
【０００１】
本発明は、警備対象施設側に設けられた警備端末とセンタ装置との間を通信回線で接続した警備システム及び警備システムの回線使用方法に関する。
【背景技術】
【０００２】
従来より、一般の家庭や店舗、工場等の警備対象施設側に、異常を検知するセンサを設け、異常の情報を警備端末を介して警備センタのセンタ装置や各種端末機器に通報する警備システムが用いられている。そして、警備端末とセンタ装置とを接続する手段として、電話回線等の通信回線が用いられてきた。
【０００３】
また、従来の警備システムでは、センタ装置に、警備端末の動作設定をダウンロードしたり、警備端末の動作設定をアップロードしたり、警備端末の警戒・解除の状態を変更したり、警備端末の動作状態を取得したりする機能を設けている。
【０００４】
さらに、最近の警備システムでは、従来の制御に加え、警備端末が警備情報をセンタ装置に通知するために接続した呼を利用して、あらかじめ登録しておいた制御を実行するという「待受制御」が実装されている。この場合、センタ装置の作業は「いつか来る警備端末からの接続に備えて制御を予約する」ことになり、その制御が実際いつ行われるかは不明である。
尚、この先行技術は、文献公知に係るものでないため、記載すべき先行技術文献情報はない。
【発明の開示】
【発明が解決しようとする課題】
【０００５】
しかしながら、最近の警備システムでは、通信回線の回線数には限界があるにもかかわらず、センタ装置として警備端末からの警備情報が集中する時間帯であっても、単一の警備端末が長時間通信回線を占有するような待受制御が開始されてしまい、警備システム全体の業務に支障をきたすおそれがあった。
【０００６】
本発明は、このような事情に鑑みてなされたもので、複数の警備端末が同時に長時間通信回線を占有するような事態を避け、センタ装置が警備端末からの情報を的確に受け取ることができ、警備システム全体の業務の安定化が図られる警備システム及び警備システムの回線使用方法を提供することにある。
【課題を解決するための手段】
【０００７】
請求項１記載の警備システムは、センタ装置で呼を待ち受けて実行される待受制御があらかじめ予定されていた場合、センタ装置は、呼を受けた時、警備端末と通信を行う通信回線の空き回線数を確認し、空き回線数が所定以上の場合、待受制御を実行した後、警備端末と通信中の通信回線を切断することを特徴とする。
【０００８】
請求項２記載の警備システムは、空き回線数が所定に満たない場合、センタ装置が、警備端末に対し待受制御のための警備端末側からの再接続の時間を指示した後、警備端末と通信中の通信回線を切断することを特徴とする。
【０００９】
請求項３記載の警備システムは、警備端末からの呼が、警戒の開始、警戒の解除、センサの異常検知等の警備業務に起因する場合、空き回線数を確認し、待受制御を実行することを特徴とする。
【００１０】
請求項４記載の警備システムの回線使用方法は、センタ装置で呼を待ち受けて実行される待受制御があらかじめ予定されていた場合、センタ装置が呼を受けた後、センタ装置が警備端末と通信を行う通信回線の空き回線数を確認し、空き回線数が所定以上の場合、センタ装置が待受制御を実行した後、警備端末と通信中の通信回線を切断することを特徴とする。
【００１１】
請求項５記載の警備システムの回線使用方法は、空き回線数が所定に満たない場合、センタ装置が、警備端末に対し待受制御のための警備端末側からの再接続の時間を指示した後、警備端末と通信中の通信回線を切断することを特徴とする。
【００１２】
請求項６記載の警備システムの回線使用方法は、警備端末からの呼が、警戒の開始、警戒の解除、センサの異常検知等の警備業務に起因する場合、空き回線数を確認した後、待受制御を実行することを特徴とする。
【発明の効果】
【００１３】
請求項１の発明によれば、待受制御がある場合に通信回線の空き回線数を確認した上で待受制御を実行することから、複数の警備端末が同時に長時間通信回線を占有するような事態を避け、センタ装置が警備端末からの情報を的確に受け取ることができ、警備システム全体の業務の安定化が図られる。
【００１４】
請求項２の発明によれば、センタ装置が、警備端末に対し待受制御のための警備端末側からの再接続の時間を指示していることから、その一定時間後に警備端末側から再接続を行うことで再度待受制御の開始を行え、待受制御実施の成功確率が高まる。
【００１５】
請求項３の発明によれば、警備端末からの呼が、警戒の開始、警戒の解除、センサの異常検知等の通信時間の短い警備業務に起因する場合、空き回線数を確認し待受制御を実行することから、警備端末が同時に長時間通信回線を占有するような事態を避け、センタ装置が警備端末からの情報を的確に受け取ることができ、一層の警備システム全体の業務の安定化が図られる。
【００１６】
請求項４の発明によれば、待受制御がある場合に通信回線の空き回線数を確認した上で待受制御を実行することから、複数の警備端末が同時に長時間通信回線を占有するような事態を避け、センタ装置が警備端末からの情報を的確に受け取ることができ、警備システム全体の業務の安定化が図られる。
【００１７】
請求項５の発明によれば、センタ装置が、警備端末に対し待受制御のための警備端末側からの再接続の時間を指示していることから、その一定時間後に警備端末側から再接続を行うことで再度待受制御の開始を行え、待受制御実施の成功確率が高まる。
【００１８】
請求項６の発明によれば、警備端末からの呼が、警戒の開始、警戒の解除、センサの異常検知等の通信時間の短い警備業務に起因する場合、空き回線数を確認し待受制御を実行することから、警備端末が同時に長時間通信回線を占有するような事態を避け、センタ装置が警備端末からの情報を的確に受け取ることができ、一層の警備システム全体の業務の安定化が図られる。
【発明を実施するための最良の形態】
【００１９】
以下、本発明の形態について図面を参照しながら具体的に説明する。本発明の形態における警備システムは、不審者等が侵入することが好ましくない一般の家庭や店舗、工場等の警備対象施設の異常の情報を検知し通報するものであって、電話回線等の通信回線を用いて情報伝達を行うものである。
【実施例１】
【００２０】
図１は、本発明に係る警備システムの第１の実施例の構成を示す構成図である。図２は、同警備システムの動作を示すフローチャートである。本実施例の警備システム１は、警備すべき警備対象施設２に設けられた各種のセンサ３と、センサ３で検知した異常等を通信回線５を用いて外部に情報伝達可能な警備用機器である警備端末１０と、異常等の情報を管理するセンタ装置２０とからなる。
【００２１】
警備端末１０は、センサ３のインタフェースである制御装置１１と、異常等の情報を外部に情報伝達可能な通信装置１２とから構成されている。また、通信回線５は公衆回線網であり、例えば、アナログ加入回線、ＩＳＤＮ回線、携帯電話網、ＰＨＳ網等である。尚、通信回線５は、有線に限られるものではなく、無線により接続されるものであってもよい。また、通信装置１２は、通信回線５に接続可能な装置であり、具体的には有線方式又は無線方式のモデム、ターミナルアダプタ等である。
【００２２】
センタ装置２０は、異常の発生を表示し警備センタの管制員に伝える監視卓２２と、通信回線５と監視卓２２とを接続する通信装置２１とから構成されている。監視卓２２は、例えば、コンピュータ端末である。また、通信装置２１は、通信回線５に接続可能な装置であり、具体的には有線方式又は無線方式のモデム、ターミナルアダプタ等である。尚、通信回線５を介して１つのセンタ装置２０に接続される警備対象施設は複数有り、他の警備対象施設７，８も、警備対象施設２と同様に、センサ３、警備端末１０等を備えており、通信回線５を介してセンタ装置２０に接続されている。また、図１では、通信回線５としてセンタ装置２０に接続される線を１本のみ描いているが、実際には、複数の回線が通信回線５として接続されている。ただし、その回線数には限りがある。
【００２３】
次に、本実施例における警備システムの動作を図２を基に説明する。尚、以後の説明において、括弧内の符号は図２のフローチャートの符号に対応している。まず、警備対象施設２で、センサ３が異常の発生を検知する。すると、警備端末１０は、制御装置１１がセンサ３の異常の検知を受けて、通信装置１２を用いて通信回線５を介して、異常の情報をセンタ装置２０に送信する。
【００２４】
通信回線５を介して警備端末１０からの異常の情報に係る呼（通信呼び出し）を受けたセンタ装置２０は、異常の情報を通信装置２１を介して受信し、監視卓２２に異常の内容を表示し、管制員に対して警備対象施設２で異常が発生した旨を報知する（受信処理（Ｓ１０１））。尚、図２の受信処理（Ｓ１０１）では、異常の情報の受信の他に、警備端末１０の警戒の開始・警戒の解除等も警備端末１０からの呼として、受信処理を行う。すなわち、ここでの受信処理の対象となる警備端末１０からの呼とは、警備装置１０からセンタ装置２０が呼び出された場合のすべてを指している。
【００２５】
次に、センタ装置２０では、警備端末１０から呼を受けた時に、警備端末１０に何らかの制御を行う必要があるか否かを確かめる。これはすなわち、センタ装置２０で、警備端末１０からの呼を待ち受けて、実行される待受制御があらかじめ予定されているか否かの確認である（Ｓ１０２）。この待受制御としては、例えば、警備端末１０の動作設定のダウンロード、警備端末１０の動作設定のアップロード、警備端末１０の警戒の開始・警戒の解除の状態の変更、警備端末の動作状態の取得等である。そして、待受制御がない場合には（Ｓ１０２−Ｎｏ）、回線を切断して処理を終了する（Ｓ１０５）。
【００２６】
待受制御が有る場合には（Ｓ１０２−Ｙｅｓ）、待受制御に移行可能か否かの判断を行う（Ｓ１０３）。この判断は、待受制御を行って１つの通信回線５を所定時間占有しても、他の警備対象施設７，８の異常の通報に影響を与えることが有るか否かの判断である。
具体的には、待受制御を行っても支障のない空き回線数の閾値ｉと、現在の空き回線数ｊとを比較するものである。そして、現在の空き回線数ｊが空き回線数の閾値ｉより小さい場合（Ｓ１０３−ｉ＞ｊ）には、このまま待受制御を行うと他の警備対象施設７，８の警備に支障を来す可能性があるとして、待受制御を行わず回線を切断して処理を終了する（Ｓ１０５）。また、現在の空き回線数ｊが空き回線数の閾値ｉ以上の場合（Ｓ１０３−ｉ≦ｊ）には、待受制御を行い（Ｓ１０４）、その後、回線を切断して処理を終了する（Ｓ１０５）。
【００２７】
以上のように、本実施例のセンタ装置２０の動作によれば、待受制御がある場合に通信回線５の空き回線数を確認した上で待受制御を実行することから、複数の警備端末１０が同時に長時間通信回線を占有するような事態を避け、センタ装置２０が警備端末１０からの情報を的確に受け取ることができ、警備システム１全体の業務の安定化が図られる。
【実施例２】
【００２８】
図３は、本発明に係る警備システムの第２の実施例の動作を示すフローチャートである。尚、本実施例の警備システムは、実施例１に示す警備システム１と同一の構成を有しており、本実施例における警備システムの動作を図１を基に説明する。尚、以後の説明において、括弧内の符号は図３のフローチャートの符号に対応している。
【００２９】
まず、警備対象施設２で、センサ３が異常の発生を検知する。すると、警備端末１０は、制御装置１１がセンサ３の異常の検知を受けて、通信装置１２を用いて通信回線５を介して、異常の情報をセンタ装置２０に送信する。
【００３０】
通信回線５を介して警備端末１０からの異常の情報に係る呼（通信呼び出し）を受けたセンタ装置２０は、異常の情報を通信装置２１を介して受信し、監視卓２２に異常の内容を表示し、管制員に対して警備対象施設２で異常が発生した旨を報知する（受信処理（Ｓ２０１））。尚、図３の受信処理（Ｓ２０１）では、異常の情報の受信の他に、警備端末１０の警戒の開始・警戒の解除等も警備端末１０からの呼として、受信処理を行う。すなわち、ここでの受信処理の対象となる警備端末１０からの呼とは、警備装置１０からセンタ装置２０が呼び出された場合のすべてを指している。
【００３１】
次に、センタ装置２０では、警備端末１０から呼を受けた時に、警備端末１０に何らかの制御を行う必要があるか否かを確かめる。これはすなわち、センタ装置２０で、警備端末１０からの呼を待ち受けて、実行される待受制御があらかじめ予定されているか否かの確認である（Ｓ２０２）。この待受制御としては、例えば、警備端末１０の動作設定のダウンロード、警備端末１０の動作設定のアップロード、警備端末１０の警戒の開始・警戒の解除の状態の変更、警備端末の動作状態の取得等である。そして、待受制御がない場合には（Ｓ２０２−Ｎｏ）、回線を切断して処理を終了する（Ｓ２０６）。
【００３２】
待受制御が有る場合には（Ｓ２０２−Ｙｅｓ）、待受制御に移行可能か否かの判断を行う（Ｓ２０３）。この判断は、待受制御を行って１つの通信回線５を所定時間占有しても、他の警備対象施設７，８の異常の通報に影響を与えることが有るか否かの判断である。
具体的には、待受制御を行っても支障のない空き回線数の閾値ｉと、現在の空き回線数ｊとを比較するものである。そして、現在の空き回線数ｊが空き回線数の閾値ｉ以上の場合（Ｓ２０３−ｉ≦ｊ）には、待受制御を行い（Ｓ２０４）、その後、回線を切断して処理を終了する（Ｓ２０６）。
【００３３】
現在の空き回線数ｊが空き回線数の閾値ｉより小さい場合（Ｓ２０３−ｉ＞ｊ）には、このまま待受制御を行うと他の警備対象施設７，８の警備に支障を来す可能性があるとして、待受制御を行わない。その代わりに、センタ装置２０は、警備端末１０に対して、待受制御を受けるために再度警備端末１０側から通信（呼）を起こすための再接続の指示を行う（Ｓ２０５）。この再接続の指示では、次に接続すべき時間の指示を同時に行う。具体的には、どの程度の時間の後に接続を行うかの相対的な時間指定や、何時何分という絶対的な時間指定等が可能である。そして、その指定の後、回線を切断して処理を終了する（Ｓ２０６）。
【００３４】
以上のように、本実施例のセンタ装置２０の動作によれば、センタ装置２０が、警備端末１０に対し待受制御のための警備端末１０側からの再接続の時間を指示していることから、その一定時間後に警備端末１０側から再接続を行うことで再度待受制御の開始を行え、待受制御実施の成功確率が高まる。
【実施例３】
【００３５】
図４は、本発明に係る警備システムの第３の実施例の動作を示すフローチャートである。尚、本実施例の警備システムは、実施例１に示す警備システム１と同一の構成を有しており、本実施例における警備システムの動作を図１を基に説明する。尚、以後の説明において、括弧内の符号は図４のフローチャートの符号に対応している。
【００３６】
まず、警備対象施設２で、センサ３が異常の発生を検知する。すると、警備端末１０は、制御装置１１がセンサ３の異常の検知を受けて、通信装置１２を用いて通信回線５を介して、異常の情報をセンタ装置２０に送信する。
【００３７】
通信回線５を介して警備端末１０からの異常の情報に係る呼（通信呼び出し）を受けたセンタ装置２０は、まず、呼の原因になった警備端末１０からの情報の内容を確認する。具体的には、警備端末１０の警戒の開始、警戒の解除、センサ３の異常検知、警備対象施設２の停電等の警備業務に起因する通常履歴か否かの判断を行う（Ｓ３０１）。そして、通常履歴以外（警備端末１０の動作設定のダウンロード、警備端末１０の動作設定のアップロード）の場合には（Ｓ３０１−Ｎｏ）、その通常履歴以外の処理を行い（Ｓ３０７）、回線を切断して処理を終了する（Ｓ３０８）。
【００３８】
通常履歴の場合には（Ｓ３０１−Ｙｅｓ）は、その通常履歴に係る受信処理を行う（Ｓ３０２）。具体的には、例えば、警備端末１０の異常の情報であった場合、監視卓２２に異常の内容を表示し、管制員に対して警備対象施設２で異常が発生した旨を報知する（Ｓ３０２）。
【００３９】
この通常履歴の受信処理（Ｓ３０２）を行った場合には、次に、センタ装置２０では、警備端末１０から呼を受けた時に、警備端末１０に何らかの制御を行う必要があるか否かを確かめる。これはすなわち、センタ装置２０で、警備端末１０からの呼を待ち受けて、実行される待受制御があらかじめ予定されているか否かの確認である（Ｓ３０３）。この待受制御としては、例えば、警備端末１０の動作設定のダウンロード、警備端末１０の動作設定のアップロード、警備端末１０の警戒の開始・警戒の解除の状態の変更、警備端末の動作状態の取得等である。そして、待受制御がない場合には（Ｓ３０３−Ｎｏ）、回線を切断して処理を終了する（Ｓ３０８）。
【００４０】
待受制御が有る場合には（Ｓ３０３−Ｙｅｓ）、待受制御に移行可能か否かの判断を行う（Ｓ３０４）。この判断は、待受制御を行って１つの通信回線５を所定時間占有しても、他の警備対象施設７，８の異常の通報に影響を与えることが有るか否かの判断である。
具体的には、待受制御を行っても支障のない空き回線数の閾値ｉと、現在の空き回線数ｊとを比較するものである。そして、現在の空き回線数ｊが空き回線数の閾値ｉ以上の場合（Ｓ３０４−ｉ≦ｊ）には、待受制御を行い（Ｓ３０５）、その後、回線を切断して処理を終了する（Ｓ３０８）。
【００４１】
現在の空き回線数ｊが空き回線数の閾値ｉより小さい場合（Ｓ３０４−ｉ＞ｊ）には、このまま待受制御を行うと他の警備対象施設７，８の警備に支障を来す可能性があるとして、待受制御を行わない。その代わりに、センタ装置２０は、警備端末１０に対して、待受制御を受けるために再度警備端末１０側から通信（呼）を起こすための再接続の指示を行う（Ｓ３０６）。この再接続の指示では、次に接続すべき時間の指示を同時に行う。具体的には、どの程度の時間の後に接続を行うかの相対的な時間指定や、何時何分という絶対的な時間指定等が可能である。そして、その指定の後、回線を切断して処理を終了する（Ｓ３０８）。
【００４２】
尚、本実施例では、指定時間後の再接続指示（Ｓ３０６）を含む場合について説明したが、通常履歴か否かの判断（Ｓ３０１）を伴う場合、この指定時間後の再接続指示（Ｓ３０６）は必須ではない。
【００４３】
以上のように、本実施例のセンタ装置２０の動作によれば、警備端末１０からの呼が、警戒の開始、警戒の解除、センサの異常検知等の通信時間の短い警備業務に起因する場合、空き回線数を確認し待受制御を実行することから、警備端末１０が同時に長時間通信回線を占有するような事態を避け、センタ装置２０が警備端末１０からの情報を的確に受け取ることができ、一層の警備システム１全体の業務の安定化が図られる。
【産業上の利用可能性】
【００４４】
以上のように、本発明の警備システム及び警備システムの回線使用方法は、広域の停電などのイレギュラーな事態で警備端末からの警備の情報が増大した場合でも、警備システム全体の業務の安定化を図る目的に適用することができる。
【図面の簡単な説明】
【００４５】
【図１】本発明に係る警備システムの第１の実施例の構成を示す構成図である。
【図２】同警備システムの動作を示すフローチャートである。
【図３】本発明に係る警備システムの第２の実施例の動作を示すフローチャートである。
【図４】本発明に係る警備システムの第３の実施例の動作を示すフローチャートである。
【符号の説明】
【００４６】
１・・・・警備システム
２・・・・警備対象施設
３・・・・センサ
５・・・・通信回線
７・・・・警備対象施設
８・・・・警備対象施設
１０・・・警備端末
１１・・・制御装置
１２・・・通信装置
２０・・・センタ装置
２１・・・通信装置
２２・・・監視卓
【図１】
2006323489.tif 000003
【図２】
2006323489.tif 000004
【図３】
2006323489.tif 000005
【図４】
2006323489.tif 000006